(57)【要約】      （修正有）【課題】サイトにおける運営方法を明確にし、これに登録する会員の活動を活発にするために、サイトの活動に対する貢献度を可視化し、当該サイトのサイト自治を向上させる。【解決手段】サイトのトップページには最上位理念を掲載し、その理念に賛同した者が会員となり、トップページ以下には階層的なコミュニティサイトが存在し、各サイトごとに独自の目標と運営規程を定める。これらのサイトの自治力を高めるために運営規程に基づいた各会員のサイトに対する貢献度を可視化（数値化）する。貢献度の可視化のためのアルゴリズムは、情報発信、活動、連携などを独自の手法で計算する。当該サイトへの貢献度の可視化によってサイト自治を向上させる。【選択図】図１
2010262354.tif 000002
【特許請求の範囲】
【請求項１】
サイト自治とは、当該サイトの運営規則に従って登録した会員が自主的に活動する仕組みのことであり、
当該サイトが掲げる理念や目標の達成のために、会員は誰からも指示・命令されることなく、自らの判断で当該サイトが提供する機能やツールを使い活動をしていくことであり、
これらの会員の活動の成果を貢献度として、コンピューターのモジュール化されたアプリケーションソフトが演算するアルゴリズムにで数値化することによりサイト自治を向上させる提供装置。
【請求項２】
サイト自治に関する会員の貢献度を可視化するサービスを提供するためにコンピューターによって実行される方法であって、
運営規程で定める基準とそれらに関連をつけられたアルゴリズムとを組み合わせて数値化することにより、当該サイトに対する貢献度を可視化する提供装置。
【請求項３】
当該サイトが会員に提示する命題、課題に対して会員がこれらを解決する手段として適当と考える解答、行為と、
会員が自らの経験、体験や知恵を元にして発したあらゆる情報と、
他者からの情報提供に対して発したコメントと、
他者からの質問に答えた回答と、をすべて合わせた情報に対して他者が評点をつけること等により、サイト自治に関する貢献度を可視化する方法。
【請求項４】
会員が情報を発信をするページ（マイページ）において、他の会員及び非会員が同ページを閲覧するために滞在する時間の総和をアルゴリズムによって点数化することと、
当該会員が他の会員及び非会員でサイトを閲覧する者に対して、延べ何回の情報を発信したかをアルゴリズムによって点数化することと、
当該会員がどのような人をサイトへ誘導したか、また、どのくらいの情報発信力を持つ人を当サイトの会員にしたかをアルゴリズムによって点数化することと、
当該会員が他の会員との間どの程度の情報交換ルートを構築したか、その情報交換の頻度を点数化することと、
当該会員が、当該サイトの運営者らによって示された課題に対して、どのような解決策、改善策などを提示できたかの評価を点数化することと、
当該会員が自らの専門性や経験を生かして、当該サイトが提供する機能を使って情報発信したコンテンツをどれだけ多くの人が視聴したかを評価して点数化することと、
当該会員が他者からの評価を受ける際に、当該サイトの運営規程にしたがって評価され点数化されること、によりサイト自治に関する会員の貢献度を可視化するプログラム。
【請求項５】
当該サイトが会員に提示する命題、課題に対して会員がこれらを解決する手段として適当と考える解答、行為と、
会員が自らの経験、体験や知恵を元にして発したあらゆる情報と、
他者からの情報提供に対して発したコメントと、
他者からの質問に答えた回答と、をすべて合わせた情報に対して他者が評点をつけること等により、サイト自治に関する貢献度を可視化する方法。
【請求項６】
前記のサイト自治に関する会員の貢献度を可視化するサービスを提供する手段として、コンピューターの演算を実行するソフトウエアによって、既存システムに機能を付加して、サービスを提供するプログラム。
【請求項７】
サイト自治に関する会員の貢献度を可視化するプログラムによって、当該サイトのトップページ及び下層に設置するコミュニティサイトの運営を、運営者が予め会員に提示した方向に近づけていくためのプログラム
【請求項８】
サイト自治に関する会員の貢献度を可視化するプログラムによって、登録した会員の順序（番付）を決定するためのプログラム
【発明の詳細な説明】
【技術分野】
【０００１】
本発明は、サイト自治に関する会員の貢献度を可視化する提供装置、提供方法及び提供プログラムに関し、特に、会員同士が積極的に情報交換を行うコミュニティサイトにおいて、アプリケーションソフトをインスロールすることによる機能追加によってサービスを提供する装置、方法およびプログラムに関する。
【背景技術】
【０００２】
コミュニティサイトは、ＳＮＳ（ソーシャルネットワーキングサービス）に代表される。当該サイトに登録した会員間の情報交換やコミュニティ機能などを活用するものである。これらのサイトでは、運営規定に従って会員を募集し、運営をする。会員は自らが管理することができるマイページを持ち、ブログや日記、コメントなどの情報発信をすることができる。サイト内でコミュニティを立ち上げたり、情報発信、受信をすることにより、コミュニケーションを取る。米国のＭｙＳpaceや国内ではミクシィ等が巨大な会員数を誇っている。
【０００３】
ＳＮＳのコミュニティサイトは、会員が情報発信するツールを持ち、当該サイト上での他の会員との情報交換をはじめ、実社会での交流などにも発展する。このため、サイトでの人間関係が実社会での人間関係につながることもあることから、当該サイト及びこの会員に対するロイヤリティ（忠誠心）が高いとされている。このため、地域や企業、団体、地域振興の立場の人たちがＳＮＳをそれぞれの目的に応じて使い、独自の趣向を持つ人たちや地域に興味を持つ人たちを集めたりしている。さまざまなマーケティングの手法や口コミマーケティング、地域振興のためのツールとしても活用されている。
【０００４】
ＳＮＳのコミュニティサイトのビジネスモデルとして、登録した会員が高いロイヤリティを持ち、当該サイト内に滞在する時間が長く、あるいは他のサイトとの連携が可能となる機能を持ったアプリケーションを付加して、会員が独自のページを作ったり、趣向性を同じくした人たちが出会う場となったり、口コミマーケティング、人材のマッチングなどのさまざまな目的に応じた使い方がされている。こうしたことによりサイトのアクセス数が増えて、そこに広告掲載をしたりするビジネスモデルが存在している。（非特許文献１）
【０００５】
本発明の背景技術としては、会員が発信する情報や行為などを数値化して計算することが求められるが、会員ごとの情報を集めてデータベース化をすることと、会員が発した情報の属性を分類しそれぞれの評価値をつけることなどの技術が存在する。
【先行技術文献】
【非特許文献】
【０００６】
ソーシャル・ネットワキングサービスｍｉｘｉ（ミクシィ）インターネット
＜ＵＲＬ：http://mixi.jp/＞
【発明の概要】
【発明が解決しようとする課題】
【０００７】
さまざまな属性を持った人が登録するコミュニティサイトの場合、会員同士の交流の密度もさまざまである。情報発信や情報受信を通じて意見を交換したり、コミュニティを立ち上げて交流をしたり、こうした連携は当該サイトの機能を使って実現している。当該サイトに登録あるいは閲覧する人たちに対して、サイト自治（サイト掲げる理念の実現のためメンバーが自主的に活動する方向性）を維持し、当該サイトが会員にとって最適なものにしていく必要がある。
【０００８】
コミュニティサイトの中には登録制をとらず、誰でもが書き込みができ情報発信ができるサイトがある。こうしたサイトの場合は無責任な発言のために、真偽が分からないような情報が大量に生み出される危険性があった。このため、ＳＮＳに代表されるように、登録者が自らの情報を公開し、あるいは自らの情報を登録し、または既存の会員からの招待によって入会するなどの審査を義務化した。これにより、会員が発信する情報においては、節度のある内容となった。このことから、コミュニティサイトはサイト自体の機能的なものと同時に、どのような運営をするのかという方法論が重要視されるようになった。
【０００９】
コミュニティサイトの運営資金は、当該サイトの運営者の負担、登録している会員の負担、広告主が支払う資金によって成り立っていることが多い。広告主は当該サイトの登録者数、閲覧者数を自社の宣伝広告の効果を高めることを期待している。広告主にとっては、当該サイトの登録者、閲覧者の趣味や消費動向、購買に至る傾向を分析することに強い関心がある。その理由として、自社の宣伝広告の効果を最大限に発揮したいためである。
ところが、コミュニティサイトは個々の会員の自由な情報発信に任せれているため、広告主らの思惑とは違う方向にサイトの意見が流れることがある。これは、運営者や広告主にとっては好ましくない傾向である。これを解決する手段を求めてさまざまな取り組みがされてきた。
【００１０】
前項のように、広告主やサイト運営者にとって好ましくない情報の発信に対して、運営者がどこまで管理をするかという点については、会員の自由な情報発信を妨げる可能性という別の面も生じ、これをやりすぎると会員らから大きな反発を受けるという側面がある。このためＳＮＳをマーケティングの面から活用することは、大きなリスクを伴うものであるという問題があった。
【００１１】
そこで、コミュニティサイトの会員の利便性を向上させつつ、さらにはサイト自体の方向性を一定に定めて、当該サイトに関わる者にとって相互扶助的な運営が実現するための考え方として、新たな手法が課題となる。
【課題を解決するための手段】
【００１２】
サイト自治に関する会員の貢献度を可視化するプログラムは、当該サイトのトップページに最上位理念を明確に提示し、それを会員及び閲覧者に対する公約としてサイトの体系を作っていくことを特徴とする。
【００１３】
この最上位理念は、当該コミュニティサイトの方針、運営方法、会員への規定などすべてにおいて優先されるべき事項であり、最上位理念の達成のための手段として当該サイトの会員は活動することを特徴とする。
【００１４】
当該サイトのトップページの下層サイトには、プロジェクトごとに形成されるＳＮＳサイト、掲示板、ブログなどの複数のサイトや機能が存在し、これらのシステムを体系的に運営していくことを特徴とする。
【００１５】
サイト自治に関する会員の貢献度を可視化するプログラムは、当該サイトのトップページに最上位理念を明確にすることでサイトとしての方向性を他に約束するものである。その解決手段として、サイトの理念、目標を提示しそれに従う会員のみが活動する。そして、会員の貢献度に応じて収益の配分をすることを特徴とする。
【００１６】
サイトに登録する会員は、当該サイトの社員でなく、組合員でもない。運営規定によって活動や行為が制限されるものではない。当サイトが掲げる最上位理念に賛同した者が登録する自然発生的な集まりである。当該サイトは会員に対して、行動を促す指示、命令権を持たず、サイトと会員との関係も委任、代理、委託、請負などの法的な関係ではない。したがって、利益を配分するという行為も当該サイトが決めたルールによって運営をすることを特徴とする。
【００１７】
当該サイトに登録する会員は、指示や命令を受けることがなく、拘束もされない自主的な集まりでゆるい紐帯である。こうした会員のモチベーションを高めて自主的な判断をもってその成果を当該サイトが目指す目標に近づけるために必要なことは、会員同士において、当該サイトの理念や目標に対する貢献度を可視化することである。さらに、貢献度を可視化する際のアルゴリズムを明示し、会員間が共通に認識するルールの元で活動することである。本発明では、当該サイトへの貢献度を可視化するためのアルゴリズムを駆使し、これをソフトウエアとしてプログラム化してサービスを提供することを特徴とする。
【００１８】
当該サイトのトップページの下には、プロジェクトごとに形成されるＳＮＳサイト、掲示板、ブログなどの複数のサイトが存在し、これらのシステムを同時に実施することを特徴とする。
【００１９】
サイト自治に関する会員の貢献度を可視化するプログラムは、当該会員の情報発信に関して他者からの評点によって決定することと、同評点の評価基準は運営規程に定めることと、これら運営規程は当該サイトのサイト自治のルールにより明確にされたものであることを特徴とする。
【００２０】
サイト自治に関する会員の貢献度を可視化するプログラムは、他会員及び閲覧者らの当該サイトに滞在する閲覧時間の総計を計測し、これを数値化することを特徴とする。
【００２１】
サイト自治に関する会員の貢献度を可視化するプログラムは、どのような人に対して情報を発信したか、どのような人を当該サイトの会員にすることができたか、どのような人をコミュニティに参加させたか、どのような人との連携を組んだかなどを計測することを特徴とする。
【００２２】
サイト自治に関する会員の貢献度を可視化するプログラムは、どのような経路で当該サイトに閲覧者、会員らを誘導したか、また、他の登録者との間で情報交換のルートを構築したか、その情報交換の頻度などを計測することを特徴とする。
【００２３】
サイト自治に関する会員の貢献度を可視化するプログラムは、どれだけの収益を当該サイト事業にもたらしたか、従来になかったアイディアを生み出したか、他との差別化を見いだすような行動をしたかなどを、独自のアルゴリズムによって計測し数値化することにより実現することを特徴とする。
【００２４】
サイト自治に関する会員の貢献度を可視化するプログラムは、前記の評点の計測結果を合計し、これを運営規程に定める方法で補正計算を加減することによりその総計を出し、会員の順位をつけることを特徴とする。
【００２５】
前項のサイト自治に関する会員の貢献度を可視化した順位は、当該サイトのトップページにおいて、会員の番付という形で表示し、それぞれ、横綱、大関、関脇、小結、幕内、十両、幕下などの名称をつけることとし、当該サイトの下層に設置するプロジェクト参加型のサイトにおいて、この番付（順位）を当該プロジェクトサイトにおける会員の貢献度を決定する際の重要な要素とすることを特徴とする。
【００２６】
当該サイトへの会員のロイヤリティを高める方法として、当該サイトに対する会員の貢献度を可視化しそれに順位をつけることを特徴とする。
【００２７】
当該サイトの下層に設置するプロジェクト型のサイトにおいては、当該プロジェクトサイトが生み出した収益の一部を登録している会員において、当該会員の当該プロジェクトサイトへの貢献度を数値化して順位を決めた後に、利益を配分することを特徴とする。
【００２８】
当該サイトの会員の貢献度を可視化するプログラムの実現は、従来のコミュニティサイトのプログラムに対して、モジュール化したソフトウエアの開発をやって、付加機能としてこれらを実現することを特徴とする。
【発明の効果】
【００２９】
本発明に係る当該サイトへの貢献度を可視化するシステムによって、会員の利便性を向上させるとともに、会員が当該サイトの目標やプロジェクトに応じてどのような活動をしたかの評価をし合うことができる。
【００３０】
前項の効果によって、会員は当該サイトの理念、目標やプロジェクトに対してのロイヤリティ（忠誠心）を高めることができる。また、目標値を数値化することによって、自らの活動の指標を持つことができる。他会員との比較により当該サイトへの貢献度の相対評価をすることができる。
【００３１】
前項で延べた会員の当該サイトへのロイヤリティとは、会員が当該サイトを閲覧する時間及び閲覧回数、当該サイトが目指す目標などに対して自らの知識や能力、ネットワークを活用しようとする意識などを総称して表現したものであり、本発明によって、当該サイトと会員間での相互利益を生み出すことを実現する。
【００３２】
本発明で当該サイトの理念や目標に対する会員の具体的な活動を可視化することにより、各サイトの運営規程に基づいた運営をすることができる。
【００３３】
本発明により、ＳＮＳに代表されるようなコミュニティサイトの運営方法を定めることができ、独自のサイトの体系を構築することができる。
【００３４】
前項のサイトの体系とは、サイト自治の設定の仕方によって当該サイトをどのような方向性を持って運営をするかなどを戦略に応じて決定していくことが可能となる。
【図面の簡単な説明】
【００３５】
【図１】当該サイトのトップページの会員登録の手順を示す図である。
【００３６】
【図２】他会員の情報に対して評点をつける際のシートの説明である。
【発明を実施するための形態】
【００３７】
サイト自治の概念が適用される範囲は、当該サイトが掲示する最上位理念の中で明確にし、その理念や目標に共鳴した者が一定の手続きを経て当該サイトに登録した場合、この意思確認をもってこれらの者を会員とする。サイト自治の概念は、これら会員間が当該サイトの中で活動するすべての行為について及ぶ。
【００３８】
前項の手続きにしたがって、当該サイトの会員登録をしていない者においては、当該サイトのサイト自治は適用されない。当該サイトへの登録や退会は当人の自由であり、これを拘束するものはない。
【００３９】
サイト自治においては、これを義務として会員に課するのではなく、このルールを遵守した上で当該サイトの行動をしているということを明確にする。したがって、会員はこのサイト自治で定めていることを承諾した上で当該サイトでの活動をしていると理解される。
【００４０】
サイト自治における最上位理念は、当該サイトの運営者によって決定される。その理念は、当該サイトを視聴する者に対して明示したことにより、その効力を発生させる。
【００４１】
サイト自治で定めている理念やルールに反した者に対しては、当該サイトの運営者はこれらの者に対して運営規則に則って対処をすることができる。ただし、会員当事者間で生じた問題等については、当該サイトのルールで対応できない場合においては当該サイトは関与しない。この場合、当事者間の問題については、日本国の法律が適用される。
【００４２】
サイト自治で定めている理念やルールに反した者に対しての罰則は、注意、警告、登録抹消がある。
【００４３】
サイト自治に関する会員の貢献度を可視化するプログラムは、当該サイトの運営者の権限を明確にすることによって最良の形態を実現することができる。運営者の権限とは以下のとおりである。
１．当該サイトに掲げる理念や目標を決定する権限
２．当該サイトの運営規程を定める権限
２．当該サイトの運営規定に従って、会員の行動を管理する権限
３．当該サイトの運営規定に従って、会員に対して処置を行う権限
【００４４】
運営者の権限については、当該サイトの運営母体が変更した場合、その権限も移行することができる。
【００４５】
サイト自治で定める規則は、当該サイトのトップページにおいて会員の登録の際に適用される。このトップページの運営規則は当該サイトの下層に位置するサイトに対してもその効力が及ぶ。
【００４６】
当該サイトのトップページから下層に位置する各種のページには、それぞれ別の運営規程を持ったサイトを配置する。当該サイトのトップページで会員になった者は、下層に設置したサイトの運営規定に従って、それぞれのサイトのメンバーになることができる。この場合、運営規程の優先順位は、下層に設置したサイトの運営規程がトップページの運営規程よりも優先する。
【００４７】
前項の下層サイトの運営規程は、それぞれ独自の内容で決定する。運営規程を決定するものは当該サイトの運営者とする。
【００４８】
当該サイトのトップページの下層に新たなサイトを設置する場合、運営者はその運営規程や貢献度を可視化するプログラム内容などを明示して、下層に設置するサイトのメンバーを募集する。
【００４９】
当該サイトに登録する会員は、下層に設置するサイトのメンバーになることができるが、この際、同時に複数のサイトのメンバーになることができる。但し、各サイトの利益が相反するような場合において、複数同時加入の禁止を運営規定の中で定めている場合においてはメンバーになれないことがある。
【００５０】
当該サイトの下層に設置するサイトについては、プロジェクト参加型のサイトである場合において、運営規程に従い同サイトの設置期間を限定する場合がある。
【００５１】
以下に当該サイトにおけるトップページの役割について説明する。
【００５２】
当該サイトのトップページにおいて、当該サイトの理念や目標を明示して、これに同意の意思表示をする者が会員になるが、当該サイトの閲覧者は同人個人に関する情報を当該サイトの指示に従って記入していく。当該サイトが提示を求める最低限の情報は以下の通りである。
１．当人の名前
２．当人の居住地の郵便番号
３．当人の年齢あるいは年代
４．当人の性別
５．当人が所有するメールアドレス
６．その他、必要に応じて運営規程に定める事項
【００５３】
上記の手続きが完了した者に対して、当該サイトの運営者か意思確認のメールが送付される。このメールには、当該サイトの最上位理念を遵守することの再確認の上、指定の手順にしたがって、ログインをすることができる。ログインをした者については、自らが管理するマイページを持つことができる。
【００５４】
当該サイトにおける会員が管理、運営するマイページは、当該会員が著作、創作する情報の発信機能と、当該会員が受発信した情報等の履歴の管理機能と、当該会員が情報受信のために必要な情報収集機能と、その他、運営規程で定める行為を実行するのに必要な機能とがある。
【００５５】
前項までで説明した手続きを完了し、当該サイトの会員と認められマイページを活用権が付与された者を基本会員と呼ぶ。当該サイトにおけるすべての会員は後に出てくる番付を持たない限りにおいて基本会員となる。
【００５６】
当該サイトにおける基本会員の権限は、当該サイトが運営規程によって公開しているコンテンツの閲覧と、マイページを保有し情報を発信する権利である。
【００５７】
前項までの基本会員の中で、当人が当該サイトに対する貢献度の可視化プログラムに参加の意思を示した者は番付会員となる。番付会員になった者は、運営規定が定めるプログラムによって貢献度の大小に応じて番付がつけられる。
【００５８】
当該サイトのトップページにおいては、貢献度を可視化したプログラムによって数値化し、番付会員の番付を決定する。この番付は基本会員、番付会員に公開される。
【００５９】
当該サイトのトップページでは同運営規程に従って、サイト自治に関する会員の貢献度を可視化するプログラムによって、会員の番付(順位）を決める。番付の決め方は大相撲の番付に準じており、全体の番付会員数の割合に応じて、相対的順位決めとして番付が与えられる。
【００６０】
番付会員の中で、当該サイトへの貢献度の順位付けによって、定められる番付会員の種類は以下のとおり。
１．横綱会員
２．大関会員
３．関脇会員
４．小結会員
５．幕内会員
６．十両会員
７．幕下会員
【００６１】
各階層の番付会員に付与する権限、権利は運営規程の中で明確にする。この権限、権利の大きさは横綱、大関、関脇、小結、幕内、十両、幕下の順となる。
【００６２】
番付会員の番付の決定要因は、当該サイトのトップページの運営規程で明確にするが、原則、一定期間を定めてその間に当該サイトへの貢献度を可視化したプログラムによって大小を明らかにする。
【００６３】
前項による番付決定要因は、一定期間が終了後に各会員が獲得したポイント（数値）は一旦、リセットされる。次期間の始期から、当該サイトへの貢献度を可視化した新たなポイントを加算していく。
【００６４】
前項による番付決定要因のための期間については、当該サイトの運営規程で定めるものとする。
【００６５】
基本会員及び番付会員は、一人の人間が複数の会員登録をすることを禁止する。これに違反した場合は運営規則にしたがって、当該サイトの会員の権利を剥奪する。
【００６６】
当該サイトの運営において、番付会員の中から運営規程に定める要件を満たす会員の中から、サイトのプロジェクトを運営、管理する権限を与える会員を定める。この会員のことを親方会員と呼ぶ。
【００６７】
前項の親方会員においては、当該サイトのサイト自治の中で以下のような権限が与えられる。
１．プロジェクトを実行するために会員を集める権限
２．プロジェクトを主体的に実行する権限
３．プロジェクト実行に際して、独自のサイト自治のルールを決める権限
４．その他、当該サイトの運営規程において定める権限
【００６８】
当該サイトの会員になろうとする者は、既に入会している会員からの推薦を受けることができる。これらの推薦を受けた者は、運営規程が定めた条件を満たせば前述の番付会員になることができる。
【００６９】
新たな会員を推薦した既存会員は、推薦した会員が生み出した付加価値等に応じた貢献度のポイントを自らの貢献度のポイントに付加することができる。
【００７０】
当該サイトが提供するシステムを使って発信し、他会員が受信したものを情報と言う。この情報は当サイトにデジタルデータが残っているものが該当する。例えば、会員間の打ち合わせ等でデジタルデータが残っていないものは情報に該当しない。例として、会員間の個別のやり取り、会話、打ち合わせ、その他法律上の行為など。
【００７１】
会員が、当該サイトが提供する機能を使って他者に発信する情報については、会員と当該サイトの間で以下のような取り決めをする。
１．情報は当該サイトの会員が著作、創作したものであって、当該サイトの機能を使って発信されたものを言う
２．会員が発信した情報は、発信した者が自らの責任において著作、創作してものであること
３．会員が著作、創作したものであっても他者に対して公開されていないものは情報とは言わない
４．情報の著作権はこれを著作、創作した会員に帰属するが、当該会員は著作人格権を行使しないものとする
【００７２】
当該サイトにおいて、情報を発信する会員は、自らの個人情報を公開する度合いに応じて、情報発信者としての属性を判断される。この理由として、完全匿名で自らの属性などを明らかにしないまま発信した情報は当人が情報に関する責任を放棄していると判断できるからである。
【００７３】
前項のように当該会員の情報公開度によって、情報の価値を判断することは、会員が無責任な発言をして他者に迷惑をかけたり、虚偽に基づく情報発信を抑制する効果を持つ。発信された情報の価値を判断する会員らは、発信者の情報公開度によって、情報発信者の属性などを判断することができる。
【００７４】
情報発信者の情報公開度は、当該サイトの運営規程によって公開項目の頻度に応じて数値化する。この数値化については発信する情報とともに提示する。
【００７５】
サイト自治に関する会員の貢献度を可視化するためのプログラムは、当該会員が他会員や関係者からの評価を受けることを許諾した情報を対象とする。この情報のことを価値情報と呼ぶ。
【００７６】
会員が著作、創作したものであるが当該サイトのシステムを使って発信し、他会員が受信をできる設定にしていないものは、これを情報とは呼ばない。これを他会員からの評価を受けることを許諾したとしても価値情報となることはない。
【００７７】
当該サイトのシステムを使って発信した情報については、当該情報を著作、創出した者が他会員の評価を受けることを許諾あるいは許否するかの権限を持つのが原則である。しかしながら、運営規程によって評価を受ける必要のない情報の種類を決めることができる。
【００７８】
当該サイトの運営規程によって、他会員による評価を受けることを義務付ける情報とは、トップページよりも下層のコミュニティサイトにおいて、当該サイトがプロジェクト明示型であり、かつ当該サイトが生み出す利益を登録者会員に配分する旨を約束したコミュニティーサイトにおいて発信されるすべての情報と、
トップページにおいては、運営者側が提示するプロジェクト、運営者らが指定した課題に対して発信した情報である。
【００７９】
当該情報の著作権は、当該情報の著作者に帰属する。但し、当該サイトの機能を使って発信した情報の中で価値情報については、著作者は著作人格権は放棄するものとする。こうした取り決めについては、運営規程において、当該サイトと会員との間で確認しておく。
【００８０】
当該サイトの機能を使って発信した情報の中で価値情報については、当サイトはこれを二次使用する権限を持つ。
【００８１】
サイト自治に関する会員の貢献度を可視化するためのプログラムは、当該会員が発した価値情報の評点の総計によって計算される。計算方法については、当該サイトの運営規程の中で明示される。
【００８２】
価値情報の評点のつけ方については、運営規程において定める。
【００８３】
貢献度を評価する場合は、次の５つの方法を使う。7段階評価（−３、−２、−１、０、１、２、３）と、５段階評価（−１、０、１、２、３）と、３段階評価（０、１、２）と、３段階評価（−１、０、１）と、コンペ方式（プロジェクトＳＮＳの会員の投票によって決める）による評価がある。
【００８４】
評価基準は、課題ごとに異なるが概ね、以下のようなスタンスとする。
［＋３］課題解決策を講じたことで新たなネットワークができ、付加価値が大幅に増加した
［＋２］課題解決策を講じたことで新たな付加価値が生まれた
［＋１］課題解決策にかけた費用等を考慮した上で、さらに状況がプラスになった
［０］課題解決策にかけた費用等（金、時間、仕事等を含む）を考慮した上で、状況がプラスマイナスゼロである
［−１］課題解決策に何も成果が生まれたかった状態。従前と変わらない
［−２］課題解決策にかけた費用等を今後、回収できる見込みがない
［−３］課題解決策を講じたことで状況が悪化する
【００８５】
評価の段階の幅が小さい場合においては、前項の評価基準を準拠して活用する。
【００８６】
当該サイトにおいて、価値情報を他会員（情報受信者）が評価する際には、図２の評点シートが画面に出てくる。情報受信者は原則、この情報に評点をつける作業をしなければならない。
情報シートは以下のような特徴がある。
１．情報受信者が評点をつけたら評点シートは閉じられる
２．評点シートの右上にある×をクリックすると閉じる。その際の評点は０となる
３．評点をつけるか×をクリックしなければ、評点シートは閉じないが、一定時間が経過すると評点シートは自動的に閉じる
４．評点シートを閉じなければ次の情報を受け取ることができない
【００８７】
情報受信者（評価者）が価値情報に対して低評価（運営規程で定める）をつけた場合、その評価の根拠をコメント欄に書き込むものとする。そして、当該コメントも価値情報として他者からの評価を受ける。この措置は、評価者が恣意的に低評価をつけることを防止するためである。
【００８８】
サイト自治に関する会員の貢献度を可視化するためのプログラムは、当該会員が当該サイトの向上のために貢献した行動、所謂コントリビュートを判断される。コントリビュートは当該会員が行動することあるいは行動したことを披露し、これを他の会員及び関与者が評点をつけることによって成立する。
【００８９】
コントリビュートとは、当該会員の次項のような貢献行為のことを言う。
運営者側が提示するプロジェクトや、運営者らが指定した課題に対して情報を発信する行為と、
当該サイトのサイト自治の向上のために、自らの判断基準で他会員が発信した価値情報を評価する行為と、
トップページの下層に位置するプロジェクト型のコミュニティサイトにおいて、当該サイトに登録した会員がサイト自治の向上のために与えられた課題を達成するための行為と、
その他、運営規程によって定められた行為である。
【００９０】
コントリビュートの概念を決める者については、当該サイトの機能を使って情報発信をする者と、当該サイトの運営側がある。それぞれの当事者がコントリビュートの概念を提示する際には以下のような手順を取る。
１．情報発信者が、これがコントリビュートであると思う行為を限定して情報発信する。それを受信した他の会員がその行為が当該サイトのコントリビュートに該当するかの評価をする
２．当該サイトの運営者が限定したコントリビュートを提示する
３．その他、当該サイトの運営規程によって定めた方法による
【００９１】
当該サイトの会員になろうとする者は、既に入会している会員からの推薦を受けることができる。これらの推薦を受けた者は、運営規程が定めた情報を公開していれば前述の番付会員になることができる。
【００９２】
新たな会員を推薦した既存会員は、推薦した会員が生み出した付加価値等に応じた貢献度のポイントを自らの貢献度のポイントに付加することができる。
【００９３】
前項のシステムの理由は、当該サイトの貢献を可視化するプログラムにおいて、この貢献をするメンバーを当該サイトの会員にすることが貢献度の大きな指標となるからである。
【００９４】
サイト自治に関する会員の貢献度を可視化するプログラムの決定要因の一つは、当該会員が情報発信をするマイページ及び当該会員が管理するコミュニティのページ等にどれだけ多くの人が訪問し、滞在したかの時間総数を数値化することを含む。
【００９５】
前項の要件をサイト自治に関する会員の貢献度の要件とする理由は、当該サイトのベージビューの総量が増えることにより、当該サイトの対外的な価値が高まったと判断するからである。
【００９６】
前記の当該サイトのベージビューの総量が増えることにより、当該サイトが発信する情報に付加する形で広告掲載及び他の情報発信のツールとしての価値が高まることになる。このことにより、当該サイトとしての相対価値が高まったと判断できる。
【００９７】
前項で言う会員のマイページでの閲覧者の滞在時間というのは、閲覧者の導線の履歴等を既存のソフトウエア等の技術を使って客観的に計測でき、これを他者のサイトと比較検討できることから数値化することが可能である。
【００９８】
当該サイトにおいて、会員が管理、運営するマイページに対しては、どのような人に対して情報を発信したか、どのような人を当該サイトの会員にすることができたか、どのような人をコミュニティに参加させたか、どのような人との連携を組んだかなどを計測し、これを数値化することによって貢献度を数値化する。
【００９９】
当該サイトの会員の活動において、どのような経路で当該サイトに閲覧者、会員らを誘導したか、また、他の登録者との間で情報交換のルートを構築したか、その情報交換の頻度などを計測することにより、当該サイトの貢献度を数値化する。
【０１００】
会員同士は、情報等の伝達によって結ばれており、情報発信者と情報受信者の２つに分けられる。
当該情報に対して、これを発信した者を情報発信者と呼び、
当該情報に対して、これを受信した者を情報受信者と呼ぶ。
【０１０１】
会員間の情報交換は、日記、他者の情報に対するコメント記述、課題に関する回答、メール、コミュニティにおける情報発信等があるが、これら当人と他者を結ぶルート及び情報の種類をすべて当人を基点として考えて以下のように呼ぶ。
１．当人が発する情報において、当人から他者へ伝わるルートを「情報の下り」と呼ぶ
２．他者が発する情報において、他者から当人へ伝えるルートを「情報の上り」と呼ぶ
３．当人または他者が、自らの積極的な意思によって情報を求めた行動を「情報取得」と呼ぶ
４．当人または他者が、自ら発信した情報を伝えるため、当該情報を取得させるよう強く促す行為を「情報宣伝」と呼ぶ
５．情報宣伝によって、当人または他者が発信する情報を得た場合、その行動を「情報伝達」と呼ぶ
【０１０２】
前項の情報のルート、情報取得の際の行動を生み合わせて、以下のような種類に分ける。
１．「情報取得による下り」情報
２．「情報伝達による下り」情報
３．「情報取得による上り」情報
４．「情報伝達による上り」情報
【０１０３】
情報宣伝の行為とは以下のようなものを言う。
１．メール、メッセージ、コメント機能を使って他者に情報取得を呼びかけること
２．情報発信の際に、リンクを付けてそこから当該情報を取得させること（ＵＲＬの添付を含む）
３．その他運営規程において、情報宣伝に該当すると取り決めた行為
【０１０４】
他者からの評価を承諾した価値情報において、当該価値情報の評価は、情報受信者によって行われる。情報発信者が自ら発した情報を評価することはない。サイト自治に関する会員の貢献度、他者に対して効果的な情報を与えたかによって判断される。
【０１０５】
価値情報を受信した者は、原則、この情報に評点をつける作業をしなければならない。評点は情報シート上で行う。
情報シートは以下のような特徴がある。
１．情報受信者が評点をつけたら評点シートは閉じられる
２．評点シートの右上にある×をクリックすると閉じる。その際の評点は０となる
３．評点をつけるか×をクリックしなければ、評点シートは閉じないが、一定時間が経過すると評点シートは自動的に閉じる
４．評点シートを閉じるか評点をつけなければ、次の情報を受け取ることができない
【０１０６】
前項までで説明した、情報のルートによって、評点の評価方法が異なる。情報発信方法によって、評価方法のハンディをつける。
情報取得＞情報伝達
この場合、情報取得と情報伝達の場合とでは、評価方法において情報取得の方が情報伝達よりも有利となるようにする。
【０１０７】
前項のように、情報取得＞情報伝達として、情報取得側にハンディを与える理由は、情報受信者の自発的な行動により得られた情報の方がより価値のあると考えるからである
【０１０８】
前項の価値情報の評価方法のハンディの内容は、当該サイトの運営規定で明らかにする。
【０１０９】
サイト自治に関する会員の貢献度を可視化するプログラムは、当該サイトにおける活動において、付加価値を生み出したことによって貢献度を決定する。
【０１１０】
当該サイトにおいて生み出す付加価値とは、会員資格を持つ者が、当該サイトの機能を活用して発信した価値情報と、それに付随した形で生み出されるアイディア等と、当該サイトのプロジェクトにおいて、プロジェクトが求めるものを生み出した成果物と、その他運営規程によって明らかにしたものと、である。
【０１１１】
付加価値の判断基準においては、情報発信者又は行為者が、自ら生み出そうとしている付加価値の内容を明示し、これを他の会員からの評価をもらうことによって実現する。
【０１１２】
前項の付加価値のほか、当該サイトの運営者が生み出すべき付加価値を指定すること、当該サイトのプロジェクトにおいての独自の目標値があること、その他、運営規程定めるものであること、などがある。
【０１１３】
当該サイトの下層にあるプロジェクト参加型のサイトにおいて貢献度が数値化された会員は、その数値がトップページの番付会員の番付（順序）決めのプログラムに反映される。この場合の計算方法については、当該サイトの運営規程によって定める。
【０１１４】
前項までの付加価値の中には、当該サイトのシステムを活用して、会員同士が共同して開発ができ、対価を生むようなもの、例えば、ソフトウエア開発、ＷＥＢデザイン、デザイン、さらには、共同作業ができるようなものが考えられる。
【０１１５】
当該サイトにおいて、付加価値を創造させる場は原則的には当該サイト上で実施するものとする。機能上、これができない場合はその他、運営規程が定める方法によって行う。
【０１１６】
これまで説明してきた当該サイトの貢献度を可視化するプログラムは、それぞれの決定の構成要件を組み合わせて、総合点をつけることによりその順序を決定する。
【０１１７】
当該サイトのトップページにおいては、サイトに対する貢献度の数値の順番は、番付会員の番付という形で表現される。この際、番付の決め方のアルゴリズムは当該サイトの運営規程で定められるが、一定期間を経て変更されることがある。
【０１１８】
当該サイトの貢献度の数値化のプログラムは、トップページにおいては番付の決定期間終了後に変更される場合がある。当該サイト下層にあるプロジェクト参加型のサイトにおいては。貢献度の数値化のプログラムは当該プロジェクトが終了するまで変更されることはない。
【０１１９】
当該サイトのトップページにおいて、番付会員の番付を決めるための貢献度の数値化のためのプログラムは、前記の構成要件を合計して求めるが、どの要件を重視するかについては、当該サイトの運営規程によって定める。この要件重視の方策は、運営者が当該サイトの会員に対して告知をして決定する。
【０１２０】
前記、当該サイトの貢献度を可視化するプログラムは、予め決定要因をアルゴリズム化したソフトウエアにより実行されるものであり、運営者、会員らの恣意的な決定により実行されることはない。ただし、ソフトウエア開発におけるアルゴリズムの決定等に関しては、当該サイトの運営者の意思を反映する。
【０１２１】
サイト自治に関する会員の貢献度を可視化するプログラムは、登録する会員が発信する情報のうち、当該会員の専門的な知識や経験を他者に体系的に伝えるためのツールをコンテンツとして映像等で表現する。
【０１２２】
前項のコンテンツにおいては、当該サイトの機能を使って情報を発信するものとする。また、映像等の表現方法は当該会員の手法に任せるが、概ね講義形式が一般的である。この映像等のコンテンツについては、当該サイトの運営規程に従って違反事項等を決定する。
【０１２３】
前項のコンテンツにおいては、当該サイトの機能を使って映像として情報発信する際には、当該サイトの運営規程に従って、広告をつけることができる。この広告は、当該サイトが提供する映像発信用画面上に掲示される。
【０１２４】
当該サイトが提供する映像発信システムを使って情報発信されるコンテンツには広告を掲載することができるが、広告の掲載契約は広告主と当該サイトとが契約の当事者となる。料金及び支払い方法等については、当該契約に定めるものとする。
【０１２５】
当該サイトが提供する映像発信画面は、映像が再生している間は画面を最小化することができない構造となる。このために、当該映像発信画面は他のサイトと同時に見ることができない。
【０１２６】
前項の理由としては、当該サイトが提供する映像発信画面が情報発信するコンテンツ及び広告を効果的に情報受信者に伝えるためである。
【０１２７】
当該サイトが提供する映像発信画面は、他のサイトへのリンクをすることができる構造である。これにより、当該映像発信画面が提供する情報が広く告知されることとなる。
【０１２８】
当該サイトが提供する映像発信システムを活用するためには、当該サイトの会員となり、指定のアプリケーションをダウンロードして作成した映像を編集し、指定のファイル形式に変換した上で、当該サイトの情報が格納されているサーバー上にデータを保管する。
【０１２９】
当該会員が当該サイトの保管した映像コンテンツデータは、当該会員が自らの著作、制作したものでなければならない。仮に、当該コンテンツが当該会員の著作物でなく他者の作品の盗用であった場合には、当該サイトの運営規程に従って罰則を与える。
【０１３０】
当該サイトが提供する映像発信システムによって、広告主が支払った広告料のうち、当該サイトの運営規程で定めた割合に応じて、広告料を当該サイトに運営費として支払うものとする。
【０１３１】
当該サイトは、プロジェクト型のサイトにおいて広告主から支払われた広告料のうち、運営規程で定める割合の金額を当該プロジェクト型サイトに参加した会員に分配する。この際、分配の方法としては当該プロジェクト型サイトの運営規程で定めるサイトに対する貢献度の数値化により会員の順番を決めて行うものとする。
【０１３２】
前項の利益については、当該プロジェクト型サイトの収益の中から必要経費を差し引き、さらにその中から運営費として当該プロジェクト型サイトの運営規程で定める一定割合を徴収した残りを充てる。この計算方法及び会計については、当該プロジェクト型サイトの中で当該会員に告知する。
【０１３３】
前記の利益の配分については、当該サイトが提供するソフトウエアを使い、当該サイトへの貢献度を可視化した上で、会員間の相対評価表を決定する。これを当該サイトの会員に告知した上で、利益配分を決定する。
【０１３４】
前記で決定した当該サイトの会員に対する利益配分については、支払い方法は当該サイトの運営規定に従って実施する。
【０１３５】
当該プロジェクト型サイトの運営方法に関して、会員からの質問等があった場合、運営者はこれに誠実に答える。ただし、質問数が多い場合には、運営者の判断で質問を選んでその答えを明らかにすることがある。
【０１３６】
当該サイトでは登録した会員に対して、各種の教育コンテンツを提供するが、これらのコンテンツを提供する者を当該サイトの協力会員と呼ぶ。
【０１３７】
当該サイトの協力会員については、当該サイトが有料でコンテンツ提供を依頼する場合と、コンテンツを無料で提供してもらう場合とがあり、これらの交渉は当該サイトの運営者と協力会員との間で行う。
【０１３８】
協力会員が当該サイトに提供するコンテンツについては、著作権は当該協力会員に帰属するが、当該コンテンツの使用権は当該サイトが独占的に有する。また、協力会員は当該コンテンツの著作人格権を行使しないものとする。
【０１３９】
協力会員は主に、各分野の専門知識や体験を有する者で、当該サイトのサイト自治を高める上においても有益と思われる情報を提供できる者である。また、協力会員へのコンテンツの提供の交渉等は当該サイトの運営者が決定する。
【０１４０】
前項のほか、当該サイトの会員からの要望がある場合、当該サイトの運営者の判断で、新たな協力会員を求める場合がある。
【０１４１】
当該サイトにおいて、会員とのマッチング及び広告により自らの宣伝を行うために、有料で情報提供をする者あるいは有料で当該サイトのアクセス権を取得する者のことを、スポンサー会員と呼ぶ。
【０１４２】
前項のスポンサー会員の中には、営利企業、公共団体、組合、自治体、その他の団体、個人などが含まれる。
【０１４３】
スポンサー会員は、当該サイトの運営者との契約を締結することで、指定の金額を支払い、広告の掲載及びアクセス権の取得などを行う。
【０１４４】
当該サイトのスポンサー会員には、マイページを付与し、当該会員が管理、運営する。このマイページ及び当該サイトが提供する機能を使って、スポンサー会員は必要な情報を発信することができる。
【０１４５】
当該サイトとスポンサー会員との契約期間は任意であり、これらの細かい取り決めについては別途の契約により定めるものとする。ただし、スポンサー会員も当該サイトが掲げる理念や目標に関して賛同した上で当該契約を結ぶものである。
【実施例１】
【０１４６】
図１は、当該サイトのトップページにおいて、会員を募集する手順について説明している。
【０１４７】
当該サイトの運営規程を読み、サイト理念や目的に関して共鳴した者は、登録画面により必要事項を記入し登録をすれば基本会員となり、登録をしなければ閲覧者となる。
【０１４８】
前項の基本会員のうち、自らが発信する情報の評価を受け入れることと了承した者は番付会員となり、拒否した者は基本会員のままとなる。
【実施例２】
【０１４９】
図２は、他者会員が発信した情報に対して評価をする評点シートである。
【０１５０】
評点シートの上部には、評点をする際の注意事項が書いている。シートの最上位の「×」をクリックするとシートは閉じるがその際の点数は「０」になることを説明している。
【０１５１】
評点の枠は「＋３」から「−３」までの７段階である。
【０１５２】
評点を所にチェックをつけた上で送信ボタンをクリックすることにより評点をつけることができる。
【図１】
2010262354.tif 000003
【図２】
2010262354.tif 000004